(57)【要約】    【課題】ユーザにとって満足できる良好なプリント結果を容易に得ることのできるプリンタ及びプリントシステムを提供する。    【解決手段】プリンタ２０のＣＰＵ１４では、画像情報により示される被写体像をプリントするときに、予め定められた物理量を検出し、検出された物理量が上記画像情報に応じた物理量となるために補正情報を導出し、当該補正情報を出力する。    【選択図】図１１
2008296581.tif 000002
【特許請求の範囲】
【請求項１】
被写体像を示す画像情報を入力する情報入力手段と、
前記情報入力手段により入力された前記画像情報により示される被写体像をプリントするプリント手段と、
前記プリント手段によりプリントされた被写体像の予め定められた物理量を検出する検出手段と、
前記検出手段により検出された物理量が前記情報入力手段で入力された画像情報に応じた物理量となるための補正情報を導出する導出手段と、
前記導出手段で導出された補正情報を外部に出力する補正情報出力手段と、
を備えたプリンタ。
【請求項２】
請求項１に記載のプリンタと、
撮影によって被写体像を示す画像情報を取得する画像情報取得手段、前記プリンタの前記補正情報出力手段から出力された補正情報を取得する補正情報取得手段、前記補正情報取得手段によって取得された補正情報を記憶する補正情報記憶手段、及び前記画像情報取得手段により取得された画像情報が前記補正情報記憶手段に記憶された補正情報に応じた被写体像を示すように前記画像情報取得手段による撮影条件を設定する撮影条件設定手段、を備えたカメラと、
を含むプリントシステム。
【請求項３】
前記補正情報記憶手段は、予め定められた項目毎に補正情報を記憶する
請求項２記載のプリントシステム。
【発明の詳細な説明】
【技術分野】
【０００１】
本発明は、入力された画像情報により示される被写体像をプリントするプリンタ、及び当該プリンタを備えたプリントシステムに関する。
【背景技術】
【０００２】
撮影によって被写体像を示す画像情報を取得するカメラでは、撮影時に自動露出機能、自動合焦機能、オートホワイトバランス調整機能等の各種機能を働かせることにより、良好な被写体像が得られるようにしている。
【０００３】
これらの各種機能の効果を向上させるための技術として、従来、カメラ自身が撮影環境や被写体の種類を判断する判断パラメータを学習し、判断能力を向上させて自動撮影を行うことにより高度な撮影を行う技術がある（例えば、特許文献１参照。）。
【０００４】
また、ニューラルネットワークを用いた学習機能を有するカメラにおいて、センサにより検知された複数の情報を、変換手段を介してニューラルネットワークに入力するように構成すると共に、変換手段によりネットワークの出力に直接寄与しない変数を除去することで、入力された複数の情報をより数の少ない情報に変換して出力し、学習時間及び演算時間の短縮化を図る技術がある（例えば、特許文献２参照。）。
【０００５】
さらに、自動合焦機能を備えたカメラにおいて、オートフォーカス評価値を補正するための補正データを予め記憶しておき、当該補正データを用いて補正されたオートフォーカス評価値で自動合焦を行うようにすることにより、低輝度の被写体、コントラストの低い被写体、動きの速い被写体などに対する自動合焦制御を可能にする技術がある（例えば、特許文献３参照。）。
【特許文献１】特開平５−１３７０５７号公報
【特許文献２】特開平５−２７３００号公報
【特許文献３】特開平８−３３４６８２号公報
【発明の開示】
【発明が解決しようとする課題】
【０００６】
しかしながら、何れの技術も撮影時には良好な画像情報が得られるものの、撮影によって得られた画像情報を用いて被写体像をプリントした場合の画像品質を向上させるためのものではなく、これらの技術を用いても、必ずしもユーザにとって満足できる良好なプリント結果が得られるとは限らなかった。
【０００７】
一方、カメラによる撮影により得られた画像情報やスキャナにより得られた画像情報等を用いてプリンタにより画像をプリントした場合、プリントによって得られた画像と当該プリントに用いた画像情報により示される画像（原画像）とでは、プリンタの特性やプリンタの経時劣化等に起因して色合いや明るさ等にズレが生じる場合があり、必ずしもユーザにとって満足できる良好なプリント結果が得られるとは限らなかった。
【０００８】
なお、この問題の対処法として、ユーザ自身やプリンタの操作者がプリント結果を参照し、プリント結果が画像情報に忠実なものとなるように画像の色合いや明るさ等を調整する方法もあるが、この方法では人手が必要であり、忠実なプリント結果を得るために多くの労力を要することになる。
【０００９】
本発明は、上記事実を考慮し、ユーザにとって満足できる良好なプリント結果を容易に得ることのできるプリンタ及びプリントシステムを提供することを目的とする。
【課題を解決するための手段】
【００１０】
上記目的を達成するために、請求項１に記載の発明は、被写体像を示す画像情報を入力する情報入力手段と、前記情報入力手段により入力された前記画像情報により示される被写体像をプリントするプリント手段と、前記プリント手段によりプリントされた被写体像の予め定められた物理量を検出する検出手段と、前記検出手段により検出された物理量が前記情報入力手段で入力された画像情報に応じた物理量となるための補正情報を導出する導出手段と、前記導出手段で導出された補正情報を外部に出力する補正情報出力手段と、を備えている。
【００１１】
請求項１に記載の発明は、被写体像を示す画像情報を入力する情報入力手段と、前記情報入力手段により入力された前記画像情報により示される被写体像をプリントするプリント手段と、前記プリント手段によりプリントされた被写体像の予め定められた物理量を検出する検出手段と、前記検出手段により検出された物理量が前記情報入力手段で入力された画像情報に応じた物理量となるための補正情報を導出する導出手段と、前記導出手段で導出された補正情報を外部に出力する補正情報出力手段と、を備えている。
【００１２】
請求項１に記載の発明によれば、情報入力手段により被写体像を示す画像情報が入力され、入力された画像情報により示される被写体像がプリント手段によってプリントされる。なお、上記情報入力手段による画像情報の入力形態としては、当該画像情報が記憶されたスマートメディアやコンパクト・フラッシュ等の記憶メディアから読み出す形態や、当該画像情報を通信回線を介して外部装置から受信する形態等を例示することができる。
【００１３】
ここで、本発明では、プリント手段によってプリントされた被写体像の予め定められた物理量が検出手段によって検出され、検出された物理量が情報入力手段で入力された画像情報に応じた物理量となるための補正情報が導出手段によって導出され、当該補正情報が補正情報出力手段によって外部に出力される。
【００１４】
なお、上記物理量としては、被写体像の画素毎の輝度値、当該輝度値の画素毎の色別積算値等のプリントされた被写体像を読取ることにより得られる物理量が例示できる。ここで、上記輝度値を検出する場合には被写体像の明るさに関する補正情報の導出が可能であり、上記色別積算値を検出する場合には被写体像の色合いに関する補正情報の導出が可能である。また、上記補正情報出力手段による補正情報の出力形態としては、当該補正情報が記憶可能に構成されたスマートメディアやコンパクト・フラッシュ等の記憶メディアに書き込む形態や、当該補正情報を通信回線を介して外部装置へ送信する形態等を例示することができる。
【００１５】
すなわち、本発明では、画像情報によって示される被写体像を実際にプリントして当該被写体像から所定の物理量を検出し、この物理量に基づいて補正情報を導出している。このため、当該補正情報は、本発明に係るプリンタ自身の特性や経時劣化等を確実に反映したものとなっている。
【００１６】
従って、次回以降、カメラによる撮影やスキャナによる画像読み取り等によって画像情報を取得する際の取得条件に当該補正情報を反映させたり、取得された画像情報に対して当該補正情報による補正を加えたりすることによって、プリンタの特性や経時劣化等に起因する色合いや明るさ等のズレの発生を未然に防止することができ、この結果としてユーザにとって満足できる良好なプリント結果を得ることができるようになる。
【００１７】
また、上記のような補正情報の反映や補正情報による補正は、人手を要することなく行うことが可能であるため、容易に実現できる。
【００１８】
このように、本発明によれば、被写体像を示す画像情報を入力して当該画像情報により示される被写体像をプリントし、当該被写体像の予め定められた物理量を検出して当該物理量が上記入力した画像情報に応じた物理量となるための補正情報を導出し、当該補正情報を外部に出力しているので、外部において当該補正情報を利用することにより、プリンタの特性や経時劣化等に起因する色合いや明るさ等の原画像とプリント画像との間のズレの発生を未然に防止することができ、この結果としてユーザにとって満足できる良好なプリント結果を容易に得ることができる。
【００１９】
さらに、上記目的を達成するために、請求項２に記載の発明は、請求項１に記載のプリンタと、撮影によって被写体像を示す画像情報を取得する画像情報取得手段、前記プリンタの前記補正情報出力手段から出力された補正情報を取得する補正情報取得手段、前記補正情報取得手段によって取得された補正情報を記憶する補正情報記憶手段、及び前記画像情報取得手段により取得された画像情報が前記補正情報記憶手段に記憶された補正情報に応じた被写体像を示すように前記画像情報取得手段による撮影条件を設定する撮影条件設定手段、を備えたカメラと、を含むものである。
【００２０】
請求項２に記載のプリントシステムには本発明のプリンタが含まれる。従って、本発明では、当該プリンタの補正情報出力手段によって上記補正情報が外部に出力される。
【００２１】
一方、本発明には、撮影によって被写体像を示す画像情報を取得する画像情報取得手段が備えられたカメラが含まれており、当該カメラにより、上記プリンタの補正情報出力手段から出力された補正情報が補正情報取得手段によって取得され、取得された補正情報が補正情報記憶手段によって記憶される。なお、上記補正情報記憶手段には、ＲＡＭ（Random Access Memory）、ＥＥＰＲＯＭ（Electrically Erasable and Programmable ROM）、フラッシュＥＥＰＲＯＭ（Flash EEPROM）等の半導体記憶素子を含めることができる。
【００２２】
ここで、本発明のカメラでは、画像情報取得手段により取得された画像情報が補正情報記憶手段に記憶された補正情報に応じた被写体像を示すように画像情報取得手段による撮影条件が撮影条件設定手段によって設定される。
【００２３】
この結果、本発明のカメラでは、当該撮影条件に応じた画像情報取得手段による撮影が行われ、上記補正情報に応じた被写体像を示す画像情報が取得されることになる。従って、この画像情報を本発明のプリンタに入力してプリント手段によりプリントした場合には、当該プリントされた被写体像は、当該プリンタの特性や経時劣化等に起因する色合いや明るさ等の原画像とプリント画像との間のズレの発生が防止されたものとなり、この結果としてユーザにとって満足できる良好なプリント結果を得ることができる。また、本発明は、人手を要することなく行うことが可能であるため、容易に実現できる。
【００２４】
なお、上記撮影条件としては、撮影時の露出の条件やホワイトバランス調整の条件等が例示できる。
【００２５】
このように、請求項２に記載のプリントシステムによれば、本発明のプリンタから出力した補正情報をカメラにより取得して記憶し、記憶した補正情報に応じた被写体像を示す画像情報を取得するように撮影条件を設定しているので、ユーザにとって満足できる良好なプリント結果を容易に得ることができる。
【００２６】
ところで、本発明の補正情報は、明るさや色合い等、プリントされた被写体像から得られる物理量に基づくものであり、当該物理量は、撮影時の光源種、天気等の撮影環境、撮影時に設定されている撮影モード、被写体像の種類、撮影時刻、撮影場所等が同じであれば同様の傾向となると考えられる。
【００２７】
そこで、請求項３に記載の発明は、請求項２に記載の発明において、前記補正情報記憶手段は、予め定められた項目毎に補正情報を記憶するようにしている。
【００２８】
すなわち、本発明の項目として、上記撮影時の光源種、天気等の撮影環境、撮影時に設定されている撮影モード、被写体像の種類、撮影時刻、撮影場所等を適用し、各項目毎に補正情報を記憶することで、本発明の撮影条件設定手段により上記項目毎に補正条件に応じた撮影条件を設定することによって、よりユーザにとって満足できる良好なプリント結果を得ることができる。
【発明の効果】
【００２９】
本発明のプリンタによれば、被写体像を示す画像情報を入力して当該画像情報により示される被写体像をプリントし、当該被写体像の予め定められた物理量を検出して当該物理量が上記入力した画像情報に応じた物理量となるための補正情報を導出し、当該補正情報を外部に出力しているので、外部において当該補正情報を利用することにより、プリンタの特性や経時劣化等に起因する色合いや明るさ等の原画像とプリント画像との間のズレの発生を未然に防止することができ、この結果としてユーザにとって満足できる良好なプリント結果を容易に得ることができる、という優れた効果を有する。
【００３０】
さらに、本発明のプリンタシステムによれば、本発明のプリンタから出力した補正情報をカメラにより取得して記憶し、記憶した補正情報に応じた被写体像を示す画像情報を取得するように撮影条件を設定しているので、ユーザにとって満足できる良好なプリント結果を容易に得ることができる、という優れた効果を有する。
【発明を実施するための最良の形態】
【００３１】
以下、図面を参照して、本発明の実施の形態について詳細に説明する。
【００３２】
（第１の実施の形態）
まず、図１を参照して、本実施の形態に係るデジタルカメラを含むプリントシステムについて説明する。同図に示されるように、プリントシステムは、デジタルカメラ１０と、プリンタ２０と、を含んで構成されている。
【００３３】
デジタルカメラ１０及びプリンタ２０は、それぞれスマートメディア（Smart Media(登録商標)）により構成されたメモリカード８２を着脱可能に構成されており、デジタルカメラ１０及びプリンタ２０では、それぞれメモリカード８２が装着された状態でメモリカード８２にアクセスしてデジタルデータの記録及び読み出しを行う。よって、デジタルカメラ１０とプリンタ２０とは、メモリカード８２を介したデジタルデータの受け渡しが可能となっている。
【００３４】
デジタルカメラ１０では、撮影によって得られた被写体像を示す画像データ、画像データの撮影状態を示す撮影状態データ及び画像データにより示される被写体像をプリントして写真プリント１９とするときのプリント条件を示すプリント条件情報をデジタルデータとしてメモリカード８２に記録する。
【００３５】
一方、プリンタ２０では、デジタルカメラ１０によってメモリカード８２に記録された画像データ及びプリント条件情報を読み出し、プリント条件情報に従い画像データによって示される被写体像を記録紙上に形成し、写真プリント１９として出力する。
【００３６】
次に、図２を参照して、本実施の形態に係るデジタルカメラ１０の外観上の構成を説明する。
【００３７】
同図に示すように、デジタルカメラ１０の正面には、被写体像を結像させるためのレンズ２１と、撮影時に必要に応じて被写体に照射する光を発するストロボ６２と、撮影する被写体の構図を決定するために用いられるファインダ８８と、が備えられている。また、デジタルカメラ１０の上面には、撮影を実行する際にユーザによって押圧操作されるレリーズボタン（所謂シャッター）９２と、電源スイッチ９４と、が備えられている。
【００３８】
なお、本実施の形態に係るデジタルカメラ１０のレリーズボタン９２は、中間位置まで押下される状態（以下、「半押し状態」という。）と、当該中間位置を超えた最終押下位置まで押下される状態（以下、「全押し状態」という。）と、の２段階の押圧操作が検出可能に構成されている。そして、デジタルカメラ１０では、レリーズボタン９２を半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３９】
一方、デジタルカメラ１０の背面には、前述のファインダ８８の接眼部と、撮影によって得られたデジタル画像データにより示される画像や各種メニュー画面、メッセージ等を表示するための液晶ディスプレイ（以下、「ＬＣＤ」という。）４４と、撮影を行うモードである撮影モード及び撮影によって得られたデジタル画像データにより示される被写体像をＬＣＤ４４に表示（再生）するモードである再生モードの何れか一方のモードに設定する際にユーザによってスライド操作されるモード切替スイッチ９６と、ＬＣＤ４４の表示領域における上・下・左・右の４方向の移動方向を示す４つの矢印キー及び当該４つの矢印キーの中央部に位置された決定キーの合計５つのキーを含んで構成された十字カーソルボタン９８と、以後の撮影時にストロボ６２を強制的に発光させるモードである強制発光モードを設定する際にユーザによって押圧操作される強制発光スイッチ９９と、が備えられている。
【００４０】
次に、図３を参照して、本実施の形態に係るデジタルカメラ１０の電気系の構成を説明する。
【００４１】
同図に示すように、デジタルカメラ１０は、前述のレンズ２１を含んで構成された光学ユニット２２と、レンズ２１の光軸後方に配設された電荷結合素子（以下、「ＣＣＤ」という。）２４と、相関二重サンプリング回路（以下、「ＣＤＳ」という。）を含んで構成されたアナログ信号処理部２６と、入力されたアナログ信号をデジタルデータに変換するアナログ／デジタル変換器（以下、「ＡＤＣ」という。）２８と、所定容量のラインバッファを内蔵し、かつ入力されたデジタル画像データを後述する第１のメモリ７２の所定領域に直接記憶させる制御を行うと共に、デジタル画像データに対して各種のデジタル画像処理を行うデジタル信号処理部３０と、を含んで構成されている。なお、上記ＣＣＤに限らず、ＣＭＯＳ（Complementary Metal Oxide Semiconductor)イメージ・センサ等の固体撮像素子であってもよい。
【００４２】
なお、ＣＤＳによる相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００４３】
一方、デジタルカメラ１０は、デジタル画像データにより示される被写体像やメニュー画面等をＬＣＤ４４に表示させるための信号を生成してＬＣＤ４４に供給するＬＣＤインタフェース４２と、デジタルカメラ１０全体の動作を司るＣＰＵ（中央処理装置）５０と、主として撮影により得られたデジタル画像データを記憶するＶＲＡＭ（Video RAM）により構成された第１のメモリ７２と、ＥＥＰＲＯＭにより構成された第２のメモリ７４と、第１のメモリ７２及び第２のメモリ７４に対するアクセスの制御を行うメモリインタフェース７０と、メモリカード８２をデジタルカメラ１０でアクセス可能とするための外部メモリインタフェース８０と、所定の圧縮形式でデジタル画像データに対して圧縮処理を施す一方、圧縮処理されたデジタル画像データに対して圧縮形式に応じた伸張処理を施す圧縮・伸張処理回路８６と、を含んで構成されている。
【００４４】
デジタル信号処理部３０、ＬＣＤインタフェース４２、ＣＰＵ５０、メモリインタフェース７０、外部メモリインタフェース８０、及び圧縮・伸張処理回路８６はシステムバスＢＵＳを介して相互に接続されている。従って、ＣＰＵ５０は、デジタル信号処理部３０及び圧縮・伸張処理回路８６の作動の制御、ＬＣＤ４４に対するＬＣＤインタフェース４２を介した各種情報の表示、第１のメモリ７２、第２のメモリ７４及びメモリカード８２へのメモリインタフェース７０及び外部メモリインタフェース８０を介したアクセスを行うことができる。
【００４５】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ５０によりタイミングジェネレータ３２を介して制御される。
【００４６】
また、デジタルカメラ１０にはモータ駆動部３４が備えられており、光学ユニット２２に備えられた焦点調整モータ、ズームモータ及び絞り駆動モータの駆動もＣＰＵ５０によりモータ駆動部３４を介して制御される。
【００４７】
すなわち、本実施の形態に係る光学ユニット２２に含まれるレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ５０の制御によりモータ駆動部３４から供給された駆動信号によって駆動される。
【００４８】
ＣＰＵ５０は、光学ズーム倍率を変更する際にはズームモータを駆動制御して光学ユニット２２に含まれるレンズ２１の焦点距離を変化させる。
【００４９】
また、ＣＰＵ５０は、ＣＣＤ２４による撮像によって得られた被写体像のコントラスト値が最大となるように上記焦点調整モータを駆動制御することによって合焦制御を行う。すなわち、本実施の形態に係るデジタルカメラ１０では、合焦制御として、被写体像のコントラストが最大となるようにレンズの位置を設定する、所謂ＴＴＬ（Through The Lens）方式を採用している。
【００５０】
一方、本実施の形態に係るデジタルカメラ１０では、図４に示されるように、ＣＣＤ２４による撮像によって得られた被写体像を水平方向及び垂直方向に複数の領域に分割し（図４では、水平方向に６分割で、垂直方向に８分割。）、デジタル画像データによって得られる被写体像の明るさを示す物理量（以下、「測光値」という。）をそれぞれの分割領域毎に検出することができる。
【００５１】
さらに、デジタルカメラ１０では、被写体像の中央部に位置する複数（ここでは、４。）の分割領域により構成されるエリアをエリアＡとし、被写体像の外周部に位置する複数（ここでは、３２。）の分割領域により構成されるエリアをエリアＣとし、エリアＡとエリアＣとの間に位置する複数（ここでは、１２。）の分割領域により構成されるエリアをエリアＢとして、各エリア毎の測光値（以下、「エリア測光値」という。）を、当該エリアに属する分割領域の測光値に基づいて検出することができる。
【００５２】
なお、各エリア測光値はＡＥ機能において用いられるものであり、ＣＰＵ５０ではエリアＡ乃至エリアＣの何れかのエリア（以下では、「測光エリア」ともいう。）のエリア測光値を選択的に用いてＡＥ機能を働かせる。
【００５３】
一方、図３に示されるように、前述のレリーズボタン９２、電源スイッチ９４、モード切替スイッチ９６、十字カーソルボタン９８、及び強制発光スイッチ９９（同図では、「操作部９０」と総称。）はＣＰＵ５０に接続されており、ＣＰＵ５０は、これらの操作部９０に対する操作状態を常時把握できる。
【００５４】
また、デジタルカメラ１０には、ストロボ６２とＣＰＵ５０との間に介在されると共に、ＣＰＵ５０の制御によりストロボ６２を発光させるための電力を充電する充電部６０が備えられている。更に、ストロボ６２はＣＰＵ５０にも接続されており、ストロボ６２の発光はＣＰＵ５０によって制御される。
【００５５】
さらに、デジタルカメラ１０は、撮影によってメモリカード８２に記憶された画像データにより示される被写体像がプリントされた際にユーザの好みの仕上がりとなるように、例えば被写体像の明るさや色合い等の条件をプリント条件情報として入力することができるものとして構成されており、入力されたプリント条件情報はデジタルデータとしてメモリカード８２に記録される。これによってユーザの好みに応じたプリントが得られるものとされている。
【００５６】
ここで、本実施の形態では、ユーザの好みに応じて入力されたプリント条件を学習するようになっている。すなわち、入力されたプリント条件情報によって示されるプリント条件に応じて第２のメモリ７４の所定領域に格納された履歴テーブル及びプリント条件テーブルの更新を行う。
【００５７】
図５には、第２のメモリ７４の所定領域に格納された履歴テーブルの一例及びプリント条件テーブルの一例がそれぞれ模式図として示されている。なお、図５において、Ａ乃至Ｃは、上記ＡＥ機能において用いられるエリアＡ乃至エリアＣにそれぞれ相当する。また、図５（Ａ）では、第２のメモリ７４に格納される履歴テーブルの‘明るさ’に関する部分が一例として模式的に示されており、以下、同図を参照して履歴テーブルについて説明する。
【００５８】
本実施の形態に係るデジタルカメラ１０の履歴テーブルは、入力されたプリント条件情報に基づき、プリント条件別にプリント条件情報の履歴を記憶するようになっており、さらにカメラモード毎に所定の数だけプリント条件情報を追加できるようになっている。なお、プリント条件情報の数が上記所定の数を超えると、最新のプリント条件情報を最も古いプリント条件情報に上書きする形で履歴テーブルが更新される。
【００５９】
なお、カメラモードは、撮影モードにおいて図示しないメニュー画面から予め設定されるものであり、上記撮影状態データとしてメモリカード８２に記憶されている。
【００６０】
ここで、履歴テーブルは、ユーザの好みに応じて入力されたプリント条件を学習するためのものであり、ユーザの好みのプリント条件は、撮影時の光源種、天気等の撮影環境や、撮影時に設定されているカメラモード、被写体像の種類、撮影時刻、撮影場所等によって異なる傾向にあるため、これらを予め項目として定めておき、当該項目毎にプリント条件を学習するようにしている。
【００６１】
なお、項目が多いほど、よりプリント条件の学習を木目細かく行うことができ、よりユーザの好みに応じたプリント結果を得ることができるが、本明細書では、説明の錯綜を回避するために、予め定められた項目としてカメラモードのみを適用してプリント条件の履歴を記憶する形態について説明する。
【００６２】
一方、図５（Ｂ）には、第２のメモリ７４に格納されるプリント条件テーブルの一例が模式的に示されており、図５（Ａ）及び図５（Ｂ）を参照してプリント条件テーブルについて説明する。
【００６３】
プリント条件テーブルは、履歴テーブルに基づき、入力頻度が最も多いプリント条件を記憶するものであり、カメラモード毎に当該プリント条件を記憶している。
【００６４】
例えば、図５（Ａ）に示される履歴テーブルによれば、カメラモード「マクロ」で撮影された画像データに、明るさのプリント条件として「Ａ」が３回、「Ｂ」が４回、「Ｃ」が１回入力されている。よって、プリント条件テーブルには、「マクロ」の明るさとして、入力頻度が最も多い「Ｂ」が記憶される。
【００６５】
このように、プリント条件テーブルには、入力頻度が最も高いプリント条件を優先して適用するようにしているので、例外的に入力されたプリント条件等に左右されずに、ユーザの好みの傾向に応じた学習を行うことができる。
【００６６】
次に、本実施の形態に係るデジタルカメラ１０の作用を説明する。まず、ＣＣＤ２４による撮像によって得られた被写体像を示す信号の処理の流れについて説明する。
【００６７】
ＣＣＤ２４により光学ユニット２２を介した撮像を行い、被写体像を示すＲ（赤）、Ｇ（緑）、Ｂ（青）の信号をアナログ信号処理部２６に順次出力する。アナログ信号処理部２６は、ＣＣＤ２４から入力された信号に対して相関二重サンプリング処理等のアナログ信号処理を施した後にＡＤＣ２８に順次出力する。ＡＤＣ２８は、アナログ信号処理部２６から入力されたＲ、Ｇ、Ｂの信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦第１のメモリ７２の所定領域に格納する。
【００６８】
第１のメモリ７２の所定領域に格納されたデジタル画像データは、ＣＰＵ５０による制御によりデジタル信号処理部３０によって読み出され、これらに所定の物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第１のメモリ７２の上記所定領域とは異なる領域に格納する。
【００６９】
なお、ＬＣＤ４４は、ＣＣＤ２４による連続的な撮像によって得られた動画像（スルー画像）を表示してファインダとして使用することができるものとして構成されているが、このようにＬＣＤ４４をファインダとして使用する場合には、生成したＹＣ信号を、ＬＣＤインタフェース４２を介して順次ＬＣＤ４４に出力する。これによってＬＣＤ４４にスルー画像が表示されることになる。
【００７０】
ここで、本実施の形態に係るデジタルカメラ１０では、レリーズボタン９２がユーザによって半押し状態にされると、撮影処理が実行される。図６は、当該撮影処理の流れを示すフローチャートであり、同図を参照して本実施の形態に係る撮影処理について説明する。
【００７１】
なお、上述したように、撮影モードでは図示しないメニュー画面からカメラモードが予め設定できるようになっており、ユーザが特に設定しない場合、デフォルトとして通常モードが設定される。また、以下では、錯綜を回避するため本発明のプリント条件としてプリントする被写体の‘明るさ’のみを適用した場合について説明する。
【００７２】
ステップ１３０では、プリント条件テーブル（図５（Ｂ）も参照）から現在のカメラモードに応じたプリント条件を読み出し、その後にステップ１３２に移行し、読み出したプリント条件に応じてＡＥ機能を働かせて露出状態を決定する。
【００７３】
例えば、上記カメラモードとして「スポーツ」が選択されている場合、一例として図５（Ｂ）に示されるプリント条件テーブルでは明るさが「Ａ」となっている。よって、ＡＥ機能はエリアＡのエリア測光値に基づいて実行され、露出状態（シャッタースピード及び絞り）が決定される。
【００７４】
次のステップ１３４では、ＡＦ機能を働かせ、ＣＣＤ２４による撮像によって得られた被写体像のコントラストが最大となるように焦点調整モータを駆動制御して合焦制御を実行し、その後ステップ１３６に移行する。
【００７５】
ステップ１３６では、レリーズボタン９２が引き続き全押しされたか否かを判定し、当該判定が肯定判定の場合はステップ１４０に移行する。一方、ステップ１３６で否定判定の場合は、ステップ１３８に移行して、レリーズボタン９２が非押下位置に戻されたか否かを判定する。当該判定が肯定判定の場合は、撮影が中止されたと判断して本撮影処理を終了する。一方、ステップ１３８で否定判定の場合はステップ１３６に戻る。
【００７６】
ステップ１４０では、レリーズボタン９２が全押し状態とされた時点で第１のメモリ７２に格納されているＹＣ信号を、圧縮・伸長処理回路８６によって所定の圧縮形式（本実施の形態では、ＪＰＥＧ形式）で圧縮した後に、同時点での上記撮影状態データ（本実施の形態では、カメラモード等を示すデータ）と共に外部メモリインターフェース８０を介してメモリカード８２に記録することにより撮影が行われ、その後、本撮影処理を終了する。
【００７７】
一方、本実施の形態に係るデジタルカメラ１０では、再生モード時において図示しないメニュー画面からプリント条件情報記録機能が選択されると、プリント条件情報記録処理が実行される。
【００７８】
図７は、ＣＰＵ５０により実行されるプリント条件情報記録処理の流れを示すフローチャートであり、同図を参照して本実施の形態に係るプリント条件情報記録処理について説明する。なお、本明細書では説明の錯綜を回避するために、プリント条件情報記録処理では、プリント条件情報として上記した各種プリント条件のうち、「明るさ」のみを適用した場合について説明する。
【００７９】
まず、ステップ１００では、メモリカード８２に記録された全ての画像データを読み出し、次のステップ１０２では、読み出した全ての画像データにより示される被写体像をＬＣＤ４４に一覧表示する。
【００８０】
図８には、このときのＬＣＤ４４の表示状態の一例が示されている。同図に示されるように、本実施の形態では、被写体像の１つに、ＯＳＤ（On Screen Display）機能によってカーソル９８Ａが重ねて表示される。
【００８１】
カーソル９８Ａは、ユーザによる被写体像の選択状態を示すものであり、ユーザによる十字カーソルボタン９８の矢印キーの操作に応じて移動する。
【００８２】
ユーザは、十字カーソルボタン９８の矢印キーを操作してカーソル９８Ａを所望の被写体像の位置に移動させ、十字カーソルボタン９８の決定キーを操作して被写体像を選択する。
【００８３】
そこで、ステップ１０４では、ユーザによる被写体像の選択待ちを行い、次のステップ１０６では、選択された被写体像に関する撮影状態データをメモリカード８２から読み出す。
【００８４】
次のステップ１１０では、読み出したデータに基づいて、選択された被写体像のプリント条件情報を入力するためのプリント条件情報入力画面をＬＣＤ４４に表示する。
【００８５】
図９に示されるように、本実施の形態に係るプリント条件情報入力画面では、選択された被写体像が表示されると共に、上記各測光エリアを示す矩形枠（図９では実線及び破線で示されている。）が被写体像に重ねて表示される。
【００８６】
ここで、ユーザによって十字カーソルボタン９８が操作されると、プリント条件情報入力画面上で、任意の測光エリアを示す上記矩形枠を実線で示し、十字カーソルボタン９８が操作される毎に実線の矩形枠で示す測光エリアを変更すると共に、プリント条件情報入力画面上に表示する被写体像を、実線の矩形枠で示す測光エリアの明るさに応じた明るさで表示するように画像データに一時的に画像処理を施す。すなわち、例えば、図９に示されるように、エリアＢが選択されている場合、他のエリアのエリア測光値がエリアＢのエリア測光値と一致するように画像処理を施す。
【００８７】
ユーザーは、このようにしてプリント情報入力画面上に表示される被写体像を見ながら、プリントされた際に好みの明るさとなるようなエリアを選択し、十字カーソルボタン９８の決定キーを操作してプリント条件情報を入力する。
【００８８】
そこで、ステップ１１２ではプリント条件情報の入力待ちを行い、次のステップ１１６では、入力されたプリント条件情報に基づき、選択された被写体像のプリント条件情報をメモリカード８２に記憶する。
【００８９】
なお、プリント条件情報入力画面上では、「明るさ」についてのプリント条件が「Ａ」、「Ｂ」、「Ｃ」から選択されるようになっているが、実際にメモリカード８２に記録するプリント条件情報は、上記プリント条件情報入力の前後における「明るさ」を示す物理量の差であり、例えば、プリント条件情報入力前の被写体像全体の測光値と、プリント条件情報により示されるエリア測光値との差がこれに相当する。
【００９０】
その後、ステップ１１８に移行し、入力されたプリント条件情報を、ステップ１０６で読み出した撮影状態データにより示されるカメラモードに応じて履歴テーブルに追加する。
【００９１】
例えば、カメラモードが「スポーツ」であり、明るさとして上記エリアＢが選択された場合、「明るさ」における「スポーツ」の最新履歴として「Ｂ」を追加する。
【００９２】
次のステップ１２０では、履歴テーブルを参照し、履歴を追加したカメラモードにおいて入力頻度が最多のプリント条件を検出する。
【００９３】
なお、本実施の形態では、入力頻度が最多のプリント条件が２つ以上存在する場合（図５（Ａ）の「スポーツ」の履歴では、「Ａ」と「Ｂ」の入力頻度がそれぞれ３回で最多。）、その中で直近に入力されたプリント条件（図５（Ａ）の「スポーツ」の履歴では、「Ｂ」。）を検出するようにしている。
【００９４】
次のステップ１２２では、検出したプリント条件に応じてプリント条件テーブルを更新する。
【００９５】
次のステップ１２３では、本プリント条件情報記録処理を終了するか否かを判定する。すなわち、本処理を終了する旨を促す操作が行われた場合、又は全ての画像データについて本処理が実行された場合に本ステップが肯定判定となり、本処理を終了する。一方、ステップ１２３で否定判定となるとステップ１０２に戻り、再び被写体像を一覧表示する。
【００９６】
このようにして更新されたプリント条件テーブルは、前述の撮影処理において、同じカメラモードでの撮影時に用いられる。
【００９７】
すなわち、ユーザの好みに応じて入力されたプリント条件情報を学習し、撮影によって取得する画像データが学習したプリント条件（明るさ）に応じた被写体像を示すように撮影条件（ＡＥ制御における測光エリア）を設定するようにしており、これによって学習が進むにつれて徐々にユーザの好みのプリント結果となる画像データが得られるようになり、この結果、ユーザによるプリント条件の入力時の手間が削減できる。なお、学習が進んでいない場合でも、ユーザの好みのプリント条件が入力され、プリント時に適用されるので、問題となることはない。
【００９８】
なお、ステップ１２０及びステップ１２２が本発明のプリント条件学習手段に相当する。
【００９９】
一方、プリンタ２０では、画像データと共にプリント条件情報が記録されたメモリカード８２が装着されると、メモリカード８２にアクセスして画像データ及び画像データのプリント条件情報を読み出し、画像データにより示される被写体像を記録紙上にプリントして写真プリント１９とする。
【０１００】
以上詳細に説明したように、本実施の形態に係るデジタルカメラ１０によれば、撮影によって取得した画像データにより示される被写体像をプリントするときのプリント条件を示すプリント条件情報を入力して当該プリント条件情報によって示されるプリント条件を学習し、上記画像データが、学習されたプリント条件に応じた被写体像を示すように撮影条件を設定しているので、ユーザにとって満足できる良好なプリント結果を容易に得ることができる。
【０１０１】
また、デジタルカメラ１０では、カメラモード毎に「明るさ」についてのプリント条件を学習し、撮影時に上記カメラモード毎にＡＥ機能における露出状態決定時の測光エリアを選択するようにしており、撮影によってよりユーザの好みに応じた明るさの被写体像を示す画像データを得ることができる。
【０１０２】
なお、カメラモードに加え、撮影状態データに含まれる他の状態を項目として、項目毎にプリント条件を学習することで、さらにユーザの好みに応じた被写体像を示す画像データを得ることができる。また、項目が多いほど、よりプリント学習を木目細かく行うことができ、よりユーザの好みに応じたプリント結果を得ることができる反面、学習のための負荷が増加する。
【０１０３】
さらに、デジタルカメラ１０では、前記ＣＰＵ５０及び第２のメモリ７４は、前記プリント条件の学習として、入力されたプリント条件情報によって示されるプリント条件のうち、入力頻度が最も高いプリント条件を優先して適用するようにしており、例外的に入力されたプリント条件等に左右されずに、ユーザの好みの傾向に応じた学習を行うことができる。
【０１０４】
なお、本実施の形態では、プリント条件情報によって示されるプリント条件のうち、「明るさ」の条件に基づいてＡＥ制御を行う形態について説明したが、本発明はこれに限定されるものではなく、プリント条件に基づいて撮影時の制御を行うものであればよい。
【０１０５】
例えば、「色合い」の条件に基づいてホワイトバランス調整を行うことが挙げられる。すなわち、「色合い」について赤み又は青みを強くするといった条件に基づき、ホワイトバランス調整においてＲ又はＢのゲインを高くすることで、撮影によって、ユーザの好みに合った画像を得ることができる。
【０１０６】
また、本実施の形態では、プリント条件の学習において、入力頻度が最も高いプリント条件を優先して適用する形態について説明したが、本発明はこれに限定されるものではなく、最も直近に入力されたプリント条件を優先して適用するようにしてもよく、この場合、ユーザの好みの変化に対応した学習を行うことができる。
【０１０７】
なお、本実施の形態では、再生モードでプリント条件情報記録処理が実行される形態について説明したが、プリント条件情報記録処理は撮影モードにおいても実行できるようにしてもよい。
【０１０８】
（第２の実施の形態）
上記第１の実施の形態では、デジタルカメラ１０で入力されるプリント条件情報を学習して撮影時の撮影条件を設定することで、プリントした際にユーザの好みとなる被写体像を示す画像データを撮影によって得る形態について説明したが、本第２の実施の形態では、プリンタ固有の適正情報（本発明の「補正情報」に相当。）をプリンタで作成し、作成した適性情報をデジタルカメラにフィードバックし、デジタルカメラで当該適正情報に応じて撮影時の撮影条件を設定することで、プリントした際に良好な写真プリントとなる被写体像を示す画像データを撮影によって得る形態について説明する。
【０１０９】
図１０には、本第２の実施の形態に係るプリントシステム９７の構成が示されている。同図に示されるように、プリントシステム９７は、デジタルカメラ１０と、プリンタ２０と、を備えている。
【０１１０】
なお、本第２の実施の形態に係るデジタルカメラ１０の構成は、上記第１の実施の形態と同一であるので、ここでの説明は省略する。
【０１１１】
本第２の実施の形態に係るデジタルカメラ１０では、撮影によって得られた画像データをメモリカード８２に記録する。プリンタ２０では、画像データが記録されたメモリカード８２がプリンタ２０に装着されると、画像データに基づく被写体像を写真プリント１９として出力する。また、プリンタ２０では、写真プリント１９の被写体像を読み取り、良好な写真プリントを得るためのプリンタ適正情報を導出してメモリカード８２に記録する。このプリンタ適正情報が記録されたメモリカード８２が再びデジタルカメラ１０に装着されることにより当該プリンタ適正情報がデジタルカメラ１０にフィードバックされる。
【０１１２】
図１１には、本第２の実施の形態に係るプリンタ２０の電気系の構成が示されている。プリンタ２０は、画像データに基づいて記録紙上に被写体像を形成するプリント部１７と、プリントされた被写体像をデジタル画像データとして読み取る画像読取部１８と、を備え、プリンタ２０全体の動作を司るＣＰＵ１４と、主として画像データを記憶するメモリ７９と、メモリ７９に対するアクセスの制御を行うメモリインタフェース７８と、装着されたメモリカード８２をプリンタ２０でアクセス可能とするためのカードインタフェース１２と、画像データに所定の画像処理を施す画像処理部１６と、プリント部１７の動作を制御するプリント制御部１５と、画像読取部１８に対するアクセスの制御を行う読取部インタフェース１３と、を含んで構成されている。
【０１１３】
プリント制御部１５、画像処理部１６、ＣＰＵ１４、カードインタフェース１２、メモリインタフェース７８及び読取部インタフェース１３は、システムバスＢＵＳ２を介して相互に接続されている。したがって、ＣＰＵ１４は、プリント制御部１５及び画像処理部１６の作動の制御、読取部インタフェース１３を介した画像読取部１８からのデジタル画像データの入力、メモリカード８２及びメモリ７９へのカードインタフェース１２及びメモリインタフェース７８を介したアクセスを行うことができる。
【０１１４】
以下、本第２の実施の形態に係るプリントシステム９７の作用を説明する。
【０１１５】
プリンタ２０にメモリカード８２が装着され、プリンタ２０に備えられた図示しない操作部等の操作によりプリントが指示されると、ＣＰＵ１４ではプリント処理を実行する。
【０１１６】
図１２は、このとき、ＣＰＵ１４により実行されるプリント処理プログラムの処理の流れを示すフローチャートであり、同図を参照して本実施の形態のプリント処理について説明する。
【０１１７】
まず、ステップ１５０では、カードインタフェース１２を介して、メモリカード８２に記憶されている画像データのうちのプリント対象とする画像データを、１被写体像分読み出す。次のステップ１５４では、メモリカード８２から読み出した画像データにより示される被写体像が記録紙上に形成されて写真プリント１９として出力されるようにプリント制御部１５を制御する。
【０１１８】
写真プリント１９が出力されると、画像読取部１８では、写真プリント１９の被写体像を読み取り、複数画素の輝度値として構成されたデジタル画像データ（本発明の「物理量」に相当し、以下、「プリントデータ」という。）を、読取部インタフェース１３を介してＣＰＵ１４に出力する。
【０１１９】
そこで、ステップ１５６では、画像読取部１８からのプリントデータの入力待ちを行い、次のステップ１５８では、入力されたプリントデータに基づき、プリントされた被写体像の所定領域（本実施の形態では、被写体像の中央が含まれる所定サイズの矩形領域）に含まれるＲ信号、Ｇ信号、Ｂ信号の色別積算値ｒ１、ｇ１、ｂ１を導出し、その後にステップ１６０に移行して各色の比率を示す色別積算値の比ｒ１／ｇ１、ｂ１／ｇ１を導出する。
【０１２０】
次のステップ１６２では、メモリカード８２から読み出した画像データにおける上記所定領域と同一領域に含まれるＲ信号、Ｇ信号、Ｂ信号についての色別積算値ｒ０、ｇ０、ｂ０を導出し、その後にステップ１６４に移行して、各色の比率を示す色別積算値の比ｒ０／ｇ０、ｂ０／ｇ０を導出する。
【０１２１】
次のステップ１６６では、プリンタ適正情報として、プリントデータに基づく色別積算値の比を、メモリカード８２から読み出した画像データに基づく色別積算値の比と一致させるための係数Ｒ、Ｂを次の（１）式及び（２）式により導出する。
【０１２２】
【数１】
2008296581.tif 000003
【０１２３】
【数２】
2008296581.tif 000004
ここで、上記係数Ｒ、Ｂは、プリンタ固有の特性による、画像データによって示される被写体像とプリント結果に生じる色合いのズレを示すものであり、上記係数Ｒ、Ｂが「１」、すなわち、色別積算値の比が一致している場合は、プリントによって画像データの色合いが忠実に再現されていることを示す。
【０１２４】
ステップ１６８では、導出した係数Ｒ及びＢを本発明の補正情報としてのプリンタ適正情報として、上記画像データと関連付けてメモリカード８２の所定領域に書き込み、次のステップ１７０では、全てのプリントが終了したか否かを判定する。メモリカード８２に記憶され、かつプリント対象とされている被写体像のプリントが全て終了したときは、ステップ１７０が肯定判定となり、本プリント処理を終了する。一方、当該判定が否定判定の場合、ステップ１５０に戻る。
【０１２５】
すなわち、本実施の形態に係るプリンタ２０では、画像データによって示される被写体像を実際にプリントして当該被写体像から所定領域に含まれるＲ信号、Ｇ信号、Ｂ信号の色別積算値を検出し、この色別積算値に基づいて補正情報を導出している。このため、当該補正情報は、本実施の形態に係るプリンタ２０自身の特性や経時劣化等を確実に反映したものとなっている。
【０１２６】
このようにして画像データのプリント処理が終了した後、プリンタ適正情報が記憶されたメモリカード８２は、再びデジタルカメラ１０に装着される。デジタルカメラ１０では、第２のメモリ７４の所定領域に格納されたプリンタ適正情報テーブルにプリンタ適正情報を記憶することができるようになっている。
【０１２７】
なお、プリンタ適正情報は、明るさや色合い等、プリントされた被写体像から得られる物理量に基づくものであり、当該物理量は、撮影時の光源種、天気等の撮影環境、撮影時に設定されているカメラモード、被写体像の種類、撮影時刻、撮影場所等が同じであれば同様の傾向となると考えられる。従って、プリンタ適正情報テーブルとして、上記撮影時の光源種、天気等の撮影環境、撮影時に設定されている撮影モード、被写体像の種類、撮影時刻、撮影場所等の項目毎にプリンタ適正情報を記憶することで、このプリンタ適正情報を撮影時の撮影条件に反映させることによって、よりユーザにとって満足できる良好なプリント結果を得ることができる。
【０１２８】
図１３には、一例として、光源種毎にプリンタ適正情報を記憶する場合のプリンタ適正情報テーブルが模式的に示されている。
【０１２９】
なお、光源種は、ホワイトバランス調整にも用いられており、本実施の形態では、撮影時にユーザによって選択されていた光源種が撮影状態データとして、画像データに関連付けられてメモリカード８２に記憶されるようになっている。ここで、上記光源種としては、青空、日陰、昼光色、昼白色、タングステン電球等が例示できる。
【０１３０】
一方、ＣＰＵ５０では、図示しないメニュー画面においてプリンタ適正情報テーブルの更新機能が選択されるとプリンタ適正情報テーブル更新処理を実行する。
【０１３１】
図１４は、上記プリンタ適正情報テーブルの更新機能が選択されたときに実行されるプリンタ適正情報テーブル更新処理の流れを示すフローチャートであり、同図を参照してプリンタ適正情報テーブル更新処理について説明する。
【０１３２】
ステップ１７２では、外部メモリインタフェース８０を介してメモリカード８２にアクセスし、記録されたプリンタ適正情報及び撮影状態データを読み出し、その後ステップ１７４に移行し、読み出した撮影状態データに基づいて光源種を特定する。次のステップ１７６では、特定した光源種に対応するプリンタ適正情報を、読み出したプリンタ適正情報に書き換えることでプリンタ適正情報テーブルを更新する。
【０１３３】
例えば、読み出したプリンタ適正情報がＲ6’、Ｂ6’で撮影状態データに基づく光源種が蛍光灯１であった場合、蛍光灯１についてのプリンタ適正情報Ｒ6、Ｂ6を読み出したプリンタ適正情報Ｒ6’、Ｂ6’に書き換える。
【０１３４】
ステップ１７８では、更新処理が終了したか否かを判定する。メモリカード８２に記録された全てのプリンタ適正情報について書き換えが終了していない場合はステップ１７８で否定判定となり、ステップ１７２に戻る。一方、ステップ１７８で肯定判定の場合は、本プリンタ適正情報テーブル更新処理を終了する。
【０１３５】
このようにして、プリンタ適正情報テーブル更新処理を行うことにより、プリンタで導出された良好なプリント結果を得るためのプリンタ適正情報がデジタルカメラ１０に入力され、プリンタ適正情報テーブルに記憶される。
【０１３６】
一方、デジタルカメラ１０は、撮影モードにおいてレリーズボタン９２が半押し状態とされると、撮影処理を実行する。
【０１３７】
図１５には、本実施の形態に係るデジタルカメラ１０のレリーズボタン９２が半押し状態とされたときに実行される撮影処理の流れを示すフローチャートが示されており、同図を参照して撮影処理について説明する。
【０１３８】
なお、ここでは、ユーザによって図示しないメニュー画面で予め撮影時の光源種が設定されている場合について説明する。
【０１３９】
まず、ステップ１８０では、第２のメモリ７４に記憶されたプリンタ適正情報テーブルから予め設定された光源種に応じたプリンタ適正情報を読み出し、その後ステップ１８２に移行し、読み出したプリンタ適正情報に応じたゲインを用いてホワイトバランス調整を実行するようにデジタル信号処理部３０を制御する。
【０１４０】
すなわち、デジタル信号処理部３０では、通常のホワイトバランス調整におけるゲインにプリンタ適正情報として記憶された係数Ｒ、Ｂを加味する。本実施の形態では、通常のゲインを係数Ｒ、Ｂで除算して得られた値をホワイトバランス調整のゲインとする。
【０１４１】
次のステップ１８４では、ＡＥ機能を働かせて露出状態を設定すると共に、ＡＦ機能を働かせてＣＣＤ２４による撮像によって得られた被写体像のコントラストが最大となるように焦点調整モータを駆動制御して合焦制御を実行した後、ステップ１８６に移行する。
【０１４２】
ステップ１８６では、レリーズボタン９２が引き続き全押しされたか否かを判定し、当該判定が肯定判定の場合はステップ１９０に移行する。一方、ステップ１８６で否定判定の場合はステップ１８８に移行して、レリーズボタン９２が非押下位置に戻されたか否かを判定する。当該判定が肯定判定の場合は、撮影が中止されたと判断して本撮影処理を終了する。一方、ステップ１８８で否定判定の場合はステップ１８６に戻る。
【０１４３】
ステップ１９０では、レリーズボタン９２が全押し状態とされた時点で第１のメモリ７２に格納されているＹＣ信号を、圧縮・伸長処理回路８６によって所定の圧縮形式（本実施の形態では、ＪＰＥＧ形式）で圧縮した後に、同時点での上記撮影状態データと共に外部メモリインターフェース８０を介してメモリカード８２に記録することにより撮影が行われた後、本撮影処理を終了する。
【０１４４】
このように、本実施の形態に係るデジタルカメラ１０では、プリンタ適正情報によって示される色合いに応じた被写体像を示すようにホワイトバランス調整されて撮影が行われ、上記プリンタ適正情報に応じた被写体像を示す画像データが得られる。従って、得られた画像データを本実施の形態に係るプリンタ２０に入力してプリントした場合には、当該プリンタ２０の特性や経時劣化等に起因する色合いの原画像とプリント画像との間のズレの発生が防止されたものとなり、この結果としてユーザにとって満足できる良好なプリント結果を得ることができる。
【０１４５】
なお、本実施の形態では、撮影時の光源種をユーザによって予め設定するものとして説明したが、一例として図１６に示すような、Ｒ／Ｇ及びＢ／Ｇの組合わせに対応する光源種を示す情報をテーブル形式又はマップ形式で予め記憶しておき、撮影時に得られているデジタル画像データによって示されるＲ／Ｇ及びＢ／Ｇと上記予め記憶しておいた情報とに基づいてデジタルカメラ１０で光源種を自動的に特定するようにしてもよい。
【０１４６】
以上詳細に説明したように、本第２の実施の形態にかかるプリンタ２０によれば、被写体像を示す画像データを入力して当該画像データにより示される被写体像をプリントし、当該被写体像の予め定められた輝度値により示されるＲ信号、Ｇ信号、Ｂ信号の色別積算値を検出して当該色別積算値が上記入力した画像データに応じた色別積算値となるためのプリンタ適正情報を導出し、当該プリンタ適正情報を外部に出力しているので、外部において当該プリンタ適正情報を利用することにより、プリンタ２０の特性や経時劣化等に起因する色合いや明るさ等の原画像とプリント画像との間のズレの発生を未然に防止することができ、この結果としてユーザにとって満足できる良好なプリント結果を容易に得ることができる。
【０１４７】
また、本第２の実施の形態に係るプリントシステム９７によれば、プリンタ２０から出力したプリンタ適正情報をデジタルカメラ１０により取得して記憶し、撮影時に記憶したプリンタ適正情報に応じた被写体像を示す画像データを取得するようにホワイトバランスを調整しているので、ユーザにとって満足できる良好なプリント結果を容易に得ることができる。
【０１４８】
さらに、本第２の実施の形態にかかるデジタルカメラ１０では、撮影状態データにより示される光源種毎にプリンタ適正情報を記憶することで、撮影時の光源種毎のプリンタ適正情報に応じてホワイトバランスを調整することによって、よりユーザにとって満足できる良好なプリント結果を得ることができる。
【０１４９】
なお、本第２の実施の形態では、プリンタ２０では、画像情報読取部で取得したプリントデータを、メモリカード８２から読み出した画像データに一致させる係数をプリンタ適正情報とし、デジタルカメラでは、ホワイトバランス調整時にプリンタ適正情報を加味する形態について説明したが、本発明はこれに限定されるものではない。
【０１５０】
例えば、プリンタ２０では、画像読取部１８で取得したプリントデータにより示される画素の輝度情報の分布状態に基づいて、プリンタの特性として潰れやすい階調を検出してプリンタ適正情報とし、デジタルカメラ１０では、ＡＥ制御においてプリンタ適正情報を加味するようにしてもよい。
【０１５１】
すなわち、一般に、黒を示す輝度値（例えば‘０’）の度数及び白を示す輝度値（例えば‘２５５’）の度数を検出すると、黒又は白の度数が所定数以上である場合は、プリンタの特性として黒又は白が潰れやすい傾向にあるため、プリンタ２０では、当該傾向を示すデータをプリンタ適正情報としてメモリカード８２に記憶し、デジタルカメラでは、ＡＥ制御を行う際に、当該プリンタ適正情報を用いて、露出状態を明るめに、又は暗めに設定する。
【０１５２】
また、上記各実施形態で示したデジタルカメラ１０及びプリンタ２０の構成及び各処理プログラムの流れは一例であり、本発明の主旨を逸脱しない範囲において適宜変更可能であることは言うまでもない。
【図面の簡単な説明】
【０１５３】
【図１】第１の実施の形態に係るプリントシステムの構成を示す概略図である。
【図２】実施の形態に係るデジタルカメラの外観上の構成を示す概略図である。
【図３】実施の形態に係るデジタルカメラの電気系の構成を示すブロック図である。
【図４】第１の実施の形態に係るデジタルカメラの撮影時における測光エリアについての説明図である。
【図５】第１の実施の形態に係るデジタルカメラの第２のメモリの所定領域に記憶されるテーブルの模式図であり、（Ａ）は履歴テーブルの一例を示す模式図で、（Ｂ）はプリント条件テーブルの一例を示す模式図である。
【図６】第１の実施の形態に係る撮影処理の流れを示すフローチャートである。
【図７】第１の実施の形態に係るプリント条件情報記録処理の流れを示すフローチャートである。
【図８】図７のプリント条件情報記録処理においてデジタルカメラのＬＣＤに表示される、メモリカードに記憶された画像の一覧表示の一例を示す模式図である。
【図９】図７のプリント条件情報記憶処理においてＬＣＤに表示されるプリント条件情報入力画面の一例を示す模式図である。
【図１０】第２の実施の形態に係るプリントシステムの構成を示す概略図である。
【図１１】第２の実施の形態に係るプリンタの電気的な構成を示すブロック図である。
【図１２】第２の実施の形態に係るプリント処理の流れを示すフローチャートである。
【図１３】第２の実施の形態に係るデジタルカメラの第２のメモリの所定領域に記憶されるプリンタ適正情報テーブルの一例を示す模式図である。
【図１４】第２の実施の形態に係るプリンタ適正情報テーブル更新処理の流れを示すフローチャートである。
【図１５】第２の実施の形態に係る撮影処理の流れを示すフローチャートである。
【図１６】Ｒ／Ｇ及びＢ／Ｇと、光源種との関係を示すグラフである。
【符号の説明】
【０１５４】
１０    デジタルカメラ
１２    カードインタフェース（情報入力手段、補正情報出力手段）
１４    ＣＰＵ（導出手段）
１７    プリント部（プリント手段）
１８    画像読取部（検出手段）
２０    プリンタ
２４    ＣＣＤ（画像情報取得手段）
４４    ＬＣＤ
５０    ＣＰＵ（プリント条件学習手段、撮影条件設定手段）
７４    第２のメモリ（補正情報記憶手段）
８０    外部メモリインタフェース（補正情報取得手段）
９７    プリントシステム
９８    十字カーソルボタン（入力手段）
【図１】
2008296581.tif 000005
【図２】
2008296581.tif 000006
【図３】
2008296581.tif 000007
【図４】
2008296581.tif 000008
【図５】
2008296581.tif 000009
【図６】
2008296581.tif 000010
【図７】
2008296581.tif 000011
【図８】
2008296581.tif 000012
【図９】
2008296581.tif 000013
【図１０】
2008296581.tif 000014
【図１１】
2008296581.tif 000015
【図１２】
2008296581.tif 000016
【図１３】
2008296581.tif 000017
【図１４】
2008296581.tif 000018
【図１５】
2008296581.tif 000019
【図１６】
2008296581.tif 000020